(57)【特許請求の範囲】
【請求項１】
少なくとも１個のトラック番号インクレメント時刻をユーザに予め指定させ、ユーザによるトラック番号インクレメント時刻の指定は、分のみの指定であり、ソース源からのＡＶ信号の記録中、現時刻の分が前記指定した分に一致すると、自動インクレメントしたトラック番号のトラックに記録トラックを変更することを特徴とするトラック番号自動インクレメント機能付き記録装置。
【請求項２】
複数のトラック番号インクレメント時刻を１個の組としたものを複数組、用意し、ユーザによる複数個のトラック番号インクレメント時刻の指定は前記複数組の中から１個をユーザに選択させることにより行われるようになっていることを特徴とする請求項１記載のトラック番号自動インクレメント機能付き記録装置。
【請求項３】
前記ソース源はラジオ放送であることを特徴とする請求項１又は２記載のトラック番号自動インクレメント機能付き記録装置。
【発明の詳細な説明】
【０００１】
【発明の属する技術分野】
この発明は、ディスクへの記録中、適当な区切りごとに自動インクレメント（ｉｎｃｒｅｍｅｎｔ）したトラック番号のトラックへ記録トラックを変更する機能を装備するオーディオ装置等のトラック番号自動インクレメント機能付き記録装置に関するものである。
【０００２】
【従来の技術】
特開平５−１８２４２０号公報のトラック番号自動インクレメント機能付き記録装置では、ソース源からのＡＶ信号の記録中、所定時間経過ごとに、自動インクレメントしたトラック番号のトラックを記録トラックを変更している。また、特開平７−１５３２３９号公報の記録装置は、記録終了後に、１個の記録トラックを所定時間ごとに自動分割する機能を装備する。
【０００３】
【発明が解決しようとする課題】
ラジオのＦＭ放送の番組は、複数個の内容区分を順番に進行させるとともに、各内容区分の時間配分が毎回同じであったり、番組同士、同一であったりすることが多い。例えば、１時間の番組が、３個の内容区分に区切られ、第１、第２、第３の内容区分がそれぞれ０分、２０分、４０分に開始されるという具合である。
【０００４】
録音開始から所定時間経過ごとに、記録トラックを自動インクレメントする従来技術では、放送開始と同時に記録開始したときは、番組内の各区切りとトラック番号とが適切に対応するが、番組開始時刻とは、ずれて記録開始した場合は、番組の各内容区分とトラック番号の対応関係が乱れてしまう。
【０００５】
この発明の目的は、このような従来技術の問題点を克服できるトラック番号自動インクレメント機能付き記録装置を提供することである。
【０００６】
【課題を解決するための手段】
この発明のトラック番号自動インクレメント機能付き記録装置（１０）によれば、少なくとも１個のトラック番号インクレメント時刻をユーザに予め指定させ、ソース源からのＡＶ信号をディスクへ記録中、指定したトラック番号インクレメント時刻になると、自動インクレメントしたトラック番号のトラックに記録トラックを変更する。
【０００７】
ディスクとは、例えば書き込み自在のＭＤやＤＶＤである。ＡＶ信号は、オーディオ信号及びビデオ信号の両方の場合だけでなく、オーディオ信号のみの場合、ビデオ信号のみの場合もあるものとする。ユーザによるトラック番号インクレメント時刻の指定は、トラック番号インクレメント時刻の時のみの指定、分のみの指定、及び時、分の両方の指定を含むものとする。
【０００８】
トラック番号自動インクレメント機能付き記録装置（１０）がトラック番号を自動インクレメントするのは、少なくとも１個の指定トラック番号インクレメント時刻であり、１個だけの新たなトラック番号の追加も含む。こうして、ＡＶ信号の記録中、内容区分に開始等に対応したトラック番号インクレメント時刻になると、新たなトラック番号が（例えば１だけ）自動インクレメントされ、それ以降の記録は、その新たに追加されたトラックに行われることになるので、記録後に再生するときに便利となる。
【０００９】
１個ではなく、複数個のトラック番号インクレメント時刻をユーザに予め指定させて、各トラック番号インクレメント時刻ごとにトラック番号を自動インクレメントする場合について、追加説明する。ソース源として例えばラジオのＦＭ放送では、番組が複数個の内容区分に分けられて順番に進行することが多い。例えばある種の音楽番組では、最初の２０分は、今週のリクエスト下位の曲の紹介、次の２０分は注目曲の紹介、最後の２０分はリクエスト上位の曲の紹介というようにである。したがって、ユーザは、番組開始時刻が９：００であれば、９：００，９：２０，９：４０と３個のトラック番号インクレメント時刻を指定する。また、所定放送局の番組編成では、曜日に関係なく、番組が順番に６：００，６：２５，６：３０と言う場合がある。そのような場合には、６：００，６：２５，６：３０を３個のトラック番号インクレメント時刻に指定する。これにより、トラック番号インクレメント時刻と次のトラック番号インクレメント時刻との間の内容区分が、１個のトラック番号により特定できる記録トラックに記録されることになるので、後の再生や編集等に便利となる。
【００１０】
この発明のトラック番号自動インクレメント機能付き記録装置（１０）によれば、ユーザによるトラック番号インクレメント時刻の指定は、分のみの指定であり、ソース源からのＡＶ信号の記録中、現時刻の分が指定した分に一致すると、自動インクレメントしたトラック番号のトラックに記録トラックを変更する。
【００１１】
前述のある種の音楽番組の例では、最初の２０分は、今週のリクエスト下位の曲の紹介、次の２０分は注目曲の紹介、最後の２０分はリクエスト上位の曲の紹介というようになっている。このような場合では、ユーザは、０分、２０分、４０分と指定し、時の指定は省略される。これにより、リクエスト下位の曲、注目曲、リクエスト上位の曲と、内容区分ごとに別々のトラック番号のトラックに記録することができ、後の再生又は編集等に便利となる。
【００１２】
この発明のトラック番号自動インクレメント機能付き記録装置（１０）によれば、複数のトラック番号インクレメント時刻を１個の組としたものを複数組、用意し、ユーザによる複数個のトラック番号インクレメント時刻の指定は複数組の中から１個をユーザに選択させることにより行われるようになっている。
【００１３】
例えば、ソース源としてＦＭ放送の場合、番組は複数の内容区分から成り、番組の進行順序及び各内容区分の時間配分には、一致している場合が多い。複数個の組を用意し、各組は、進行順序及び各内容区分の時間配分の典型的なもの、複数個にそれぞれ対応させ、各典型番組の進行順序における各内容区分の開始時刻に合わせておく。これにより、典型的な番組進行順序及び内容区分の時間配分の番組の記録に対しては、ユーザは、トラック番号インクレメント時刻の組を選択するのみで、複数個のトラック番号インクレメント時刻の指定を済ませることができるので、指定操作を能率化できる。
【００１４】
この発明のトラック番号自動インクレメント機能付き記録装置（１０）によれば、ソース源はラジオ放送である。
【００１５】
【発明の実施の形態】
以下、発明の実施の形態について図面を参照して説明する。
図１はオーディオ装置１０の概略ブロック図である。システムコントローラ１２は、マイクロコンピュータ等を含み、ＭＤ記録再生部１３に対して、記録、再生、ポーズ、サーチ、トラック編集等を実行するための制御信号を送り、チューナ１４に対しては選局等を実行するための制御信号を送る。キーマトリクス１５は、ユーザにより携帯、操作されるものであり、ユーザからの指示は、キーマトリクス１５からコードレスでシステムコントローラ１２へ伝えられる。ディスプレイ１６は、システムコントローラ１２からデータを送られて、操作画面等を表示したりする。時計１７は、タイマ関連処理に利用されるクロック信号をシステムコントローラ１２へ送る。ＭＤ記録再生部１３は、ディジタルオーディオ入力はそのままで、また、アナログオーディオ入力は、Ａ／Ｄ変換器１８を介して入力される。さらに、ＭＤ記録再生部１３の出力は、そのままディジタルオーディオ出力となるとともに、Ｄ／Ａ変換器１９を介してアナログオーディオ出力へ変換される。チューナ１４の出力はアナログオーディオ出力となる。ラジオ放送をＭＤへ記録する場合は、チューナ１４のアナログオーディオ出力が、Ａ／Ｄ変換器１８を介してディジタルオーディオ入力へ変換されてから、ＭＤ記録再生部１３へ入力される。
【００１６】
図２はＵＴＯＣの周知の構造図である。主要点について説明する。パーツテーブルは、パーツテーブル番号で０１ｈ〜ＦＦｈ（ｈはディスプレイ１６進を意味する。）の計２５５個存在する。各パーツテーブルは、ＭＤ上でそのパーツテーブルに対応するセグメントのスタートアドレス及びエンドアドレス、そのセグメントのモード情報（例：オーバライト禁止及びデータ複写禁止等）、並びにそのセグメントの次に続くセグメントに対応するパーツテーブルのパーツテーブル番号を示すリンクポインタ（そのセグメントの次に続くセグメントが無いときはリンクポインタ＝”００ｈ”。”００ｈ”はリンク無しを意味する。）を備えている。各パーツテーブルに対応するセグメントが何の領域であるかはＰ−ＤＦＡ〜Ｐ−ＴＮＯ２５５により示される。Ｐ−ＤＦＡはＭＤ上の欠陥領域、Ｐ−ＥＭＰＴＹはＭＤ上の未使用領域、Ｐ−ＦＲＡはＭＤ上のデータ未記録領域（消去領域も含む）、Ｐ−ＴＮＯ１〜Ｐ−ＴＮＯ２５５はＭＤ上に記録されたトラック（曲）について示している。Ｐ−ＤＦＡ、Ｐ−ＥＭＰＴＹ、Ｐ−ＦＲＡ、Ｐ−ＴＮＯ１〜Ｐ−ＴＮＯ２５５は、対応のセグメントが存在すれば、そのセグメントに対応する１又は複数のパーツテーブルの先頭のパーツテーブルのパーツテーブル番号、存在しなければ”００ｈ”が書き込まれている。また、各パーツテーブルには、リンクポインタが存在し、さらに、それに続くセグメントが存在すれば、リンクポインタに次のパーツテーブルのパーツテーブル番号が書き込まれて、存在しなければ、リンクポインタに”００ｈ”が書き込まれているので、Ｐ−ＤＦＡ、Ｐ−ＥＭＰＴＹ、Ｐ−ＦＲＡ、Ｐ−ＴＮＯ１〜Ｐ−ＴＮＯ２５５には、先頭パーツテーブルのパーツテーブル番号のみを示すのみで、それに繋がるパーツテーブルの全部を検出することができる。また、Ｆｉｒｓｔ  ＴＮＯ及びＬａｓｔ  ＴＮＯはそれぞれ最初及び最後の曲番を示す。
【００１７】
こうして、ＭＤのプログラムエリアを直接操作することなく、ＵＴＯＣを書き換えることにより、トラックの編集（トラックの移動、結合、分割、消去、連結、並びにタイトル名の入力及び変更等）を行なうことができる。
【００１８】
図３はトラック番号インクレメント時刻指定処理のフローチャートである。Ｓ３０では、トラック番号インクレメント時刻の指定要請がユーザよりあったか否かを判定し、判定がＹｅｓになると、Ｓ３１へ進む。Ｓ３１では、ユーザにより複数個の組の中から１個が選択される。各組は、複数個のトラック番号インクレメント時刻の集合から成る。このような組を例示すると、第１の組は、毎時の０分，１０分，２０分，３０分，４０分，５０分の６個のトラック番号インクレメント時刻を要素とする集合であり、第２の組は、毎時の０分，１５分，３０分，４５分の４個のトラック番号インクレメント時刻を要素とする集合であり、第３の組は、毎時の０分，３０分の２個のトラック番号インクレメント時刻を要素とする集合であり、第４の組は、毎時の３０分，４５分の２個のトラック番号インクレメント時刻を要素とする集合となっている。ユーザは、この４個の組の中から１個を選択する。各組は、ラジオのＦＭ放送の典型的な４番組に対応し、各組の要素としての各トラック番号インクレメント時刻は、各番組における各内容区分の開始時刻の分に一致する。
【００１９】
図４はチューナ１４の出力をＭＤへ記録するときのトラック番号自動インクレメント処理のフローチャートである。Ｓ４０では、チューナ１４の出力を記録開始したか否かを判定し、判定がＹｅｓであれば、Ｓ４１へ進み、Ｎｏであれば、該トラック番号自動インクレメント処理を終了する。Ｓ４１では、現時刻の分が、Ｓ３１でユーザにより選択された組におけるどれかのトラック番号インクレメント時刻の分に一致しているか否かを判定し、判定がＹｅｓであれば、Ｓ４２へ進み、Ｎｏであれば、Ｓ４２をスキップして、Ｓ４３へ進む。Ｓ４２では、トラック番号を１だけ自動インクレメントして、自動インクレメントしたトラック番号のトラックを記録トラックとする。すなわち、現時刻がトラック番号インクレメント時刻になるごとに、インクレメント前のトラックへの記録は終了し、インクレメント後のトラック番号のトラックに記録開始する。Ｓ４３では、チューナ１４の出力の記録を終了したか否かを判定し、判定がＹｅｓであれば、該トラック番号インクレメント時刻処理を終了し、Ｎｏであれば、Ｓ４１へ戻る。
【図面の簡単な説明】
【図１】オーディオ装置の概略ブロック図である。
【図２】ＵＴＯＣの周知の構造図である。
【図３】トラック番号インクレメント時刻指定処理のフローチャートである。
【図４】チューナの出力をＭＤへ記録するときのトラック番号自動インクレメント処理のフローチャートである。
【符号の説明】
１０    オーディオ装置（トラック番号自動インクレメント機能付き記録装置）
【図１】
0003601020.tif 000002
【図２】
0003601020.tif 000003
【図３】
0003601020.tif 000004
【図４】
0003601020.tif 000005